(57)【要約】【課題】本発明は、Ｙ字背割付き木材およびその製造方法に関し、「背割り」を施した木製角材の背割り部分に亀裂の割れが発生するのを抑制すると共に、該背割り部分に亀裂や割れが発生した場合には、前記亀裂や割れの内部が露見することを防止して見映えの良好なＹ字背割を提供しようとする。【解決手段】木材１の側面に、長手方向Ｘに沿って１本または複数本が設けられた木口端から見てＶ字状のＶ溝２と、該Ｖ溝２の交差する二辺２ａ,２ａのうちの少なくとも一辺の略延長線Ｐ上に設けられたスリット３と、により構成されるＹ字背割４が施こされているＹ字背割り付き木材とする。【選択図】図１
2011116046.tif 000002
【特許請求の範囲】
【請求項１】
木材の側面に、長手方向に沿って１本または複数本が設けられた木口端から見てＶ字状のＶ溝と、該Ｖ溝の交差する二辺のうちの少なくとも一辺の略延長線上に設けられたスリットと、により構成されるＹ字背割が施こされている
ことを特徴とするＹ字背割付き木材。
【請求項２】
前記Ｙ字背割の前記スリットが、
木材の部材径の１／８〜１／４の深さにより形成されている
ことを特徴とする請求項１に記載のＹ字背割付き木材。
【請求項３】
前記木材が、縦木として木口端から見て平面正方形、平面多角形、または平面円形の柱に構成され、かつ、前記柱には前記Ｙ字背割が前後または左右に線対称もしくは点対称に合計１〜４本設けられるか、あるいは、前後および左右に線対称もしくは点対称に合計１〜４本が設けられていることを特徴とする請求項１または２に記載のＹ字背割付き木材。
【請求項４】
前記木材が、木口端から見て側面正方形、側面多角形、または側面円形の横木に構成され、かつ、前記横木には前記Ｙ字背割が天面部を除いて前後の側面および下面との合計３本設けられるとともに、前後の側面に設けられる前記スリットは上向きに設けられていることを特徴とする請求項１〜３の何れか１項に記載のＹ字背割付き木材。
【請求項５】
前記木材には、前記Ｖ溝および前記スリットを介して防腐性または防蟻性を有する薬液が含浸されていることを特徴とする請求項１〜４の何れか１項に記載のＹ字背割付き木材。
【請求項６】
木材の側面に、その長手方向に沿って板面に直交する垂直線に対して幅方向へ所望の傾斜角度に傾けて鋸歯により木材の部材径の１／８〜１／４の深さのスリットを形成する工程と、
前記スリットに交差するように、前記垂直線に対して前記傾斜角度とは反対側に所望の傾斜角度傾けて鋸歯にて切断してＶ溝を形成するとともに、前記スリットと前記Ｖ溝とよりなるＹ字背割を形成する工程と、
を順次有することを特徴とするＹ字背割付き木材の製造方法。
【発明の詳細な説明】
【技術分野】
【０００１】
本発明はＹ字背割付き木材およびその製造方法に関し、木材、例えば屋外で公園、庭園、道路等の屋外で使用するパーゴラ、東屋、柵、案内板、橋、遊具等に使用する木材に、建設後において、乾燥により応力が加わって、亀裂が入るのを抑制したり、変形を防止するために優れた背割れ防止機能を発揮し、また、背割の一部を構成するスリットが隠れて外部から見え難く、不体裁が一掃され、木材の強度の低下がなく、構造簡単で加工性を優れたものにする。
【背景技術】
【０００２】
従来、杉、檜、からまつのような未乾燥の針葉樹の樹芯持ち材を柱等に用いた場合に、建築後に乾燥による応力が加わることにより亀裂や割れを生ずるのを防ぐために、予め見えない柱の背の部分に、「背割り」と称する長手方向に沿って樹芯に達する割れ目を設けていた。
【先行技術文献】
【特許文献】
【０００３】
【特許文献１】特開２００４−２１６７００号公報
【０００４】
従来、建築用の柱、桁、梁で代表される木製角材には、建築後に乾燥による応力が加わって亀裂や割れを生ずるのを防ぐために、スリット状の「背割り」を施したものが提案されている（例えば、特許文献１参照）。
【発明の概要】
【発明が解決しようとする課題】
【０００５】
上記特許文献１に記載されたスリット状の「背割り」を施した木製角材は、柱、桁、梁等の材料として屋内で使用されるものであるが、パーゴラ、東屋、柵、案内板、橋、遊具等の材料として公園、庭園、道路、遊歩道、河川敷、森林等の屋外で使用されると、風雨、雪等に晒されたり、また季節の移り変わりによる温度および湿度の変化の影響を受けて、その背割り部分に亀裂や割れが入ること、その亀裂や割れが拡大して開かれて該亀裂や割れ部が露見すること等の問題があった。また、前記「背割り」の施された木製角材に塗装が施こされている場合には、前述したように、木製角材に塗装が施されている場合には、前述したように、木製角材の亀裂が拡大されて開かれると、前記「背割り」の内部が露見し、塗装前も際だって目立つことになり、そのために、見映えが悪くなり、不体裁になるという問題があった。
【０００６】
本発明は上記従来の問題を解決することを目的としている。即ち、本発明は「背割り」を施した木製角材の背割り部分に亀裂の割れが発生するのを抑制すると共に、該背割り部分に亀裂や割れが発生した場合には、前記亀裂や割れの内部が露見することを防止して見映えの良好なＹ字背割付き木材、およびその製造方法を提供する。
【課題を解決するための手段】
【０００７】
本発明の請求項１に記載の発明は、木材の側面に、長手方向に沿って１本または複数本が設けられた木口端から見てＶ字状のＶ溝と、該Ｖ溝の交差する二辺のうちの少なくとも一辺の略延長線上に設けられたスリットと、により構成されるＹ字背割が施こされている
ことを特徴とする。
【０００８】
また、本発明の請求項２に記載の発明は、請求項１において、
前記Ｙ字背割の前記スリットが、木材の部材径の１／８〜１／４の深さにより形成されていることを特徴とする。
【０００９】
また、本発明の請求項３に記載の発明は、請求項１または２において、前記木材が、縦木として木口端から見て平面正方形、平面多角形、または平面円形の柱に構成され、かつ、前記柱には前記Ｙ字背割が前後または左右に線対称もしくは点対称に合計１〜４本設けられるか、あるいは、前後および左右に線対称もしくは点対称に合計１〜４本が設けられていることを特徴とする。
【００１０】
また、本発明の請求項４に記載の発明は、請求項１〜３の何れか１項において、前記木材が、木口端から見て側面正方形、側面多角形、または側面円形の横木に構成され、かつ、前記横木には前記Ｙ字背割が天面部を除いて前後の側面および下面との合計３本設けられるとともに、前後の側面に設けられる前記スリットは上向きに設けられていることを特徴とする。
【００１１】
また、本発明の請求項５に記載の発明は、請求項１〜４の何れか１項において、前記木材には、前記Ｖ溝および前記スリットを介して防腐性または防蟻性を有する薬液が含浸されていることを特徴とする。
【００１２】
また、本発明の請求項６に記載の発明は、木材の側面に、その長手方向に沿って板面に直交する垂直線に対して幅方向へ所望の傾斜角度に傾けた鋸歯により木材の部材径の１／８〜１／４の深さのスリットを形成する工程と、
前記スリットに交差するように、前記垂直線に対して前記傾斜角度とは反対側に所望の傾斜角度傾けた鋸歯にて切断してＶ溝を形成するとともに、前記スリットと前記Ｖ溝とよりなるＹ字背割を形成する工程と、
を順次有することを特徴とする。
【発明の効果】
【００１３】
本発明は上記課題に鑑みてなされ、請求項１に記載の発明によれば、木材の側面に、長手方向に沿って１本または複数本が設けられた木口端から見てＶ字状のＶ溝と、該Ｖ溝の交差する二辺のうちの少なくとも一辺の略延長線上に設けられたスリットと、により構成されるＹ字背割が施こされているので、木材、例えば屋外で公園、庭園、道路、遊歩道、河川敷、森林等で使用するパーゴラ、東屋、柵、案内板、橋、遊具等に使用する木材に、建設後において、木材の側面に長手方向に沿って設けられた１本または複数本の木口端から見てＶ字状のＶ溝はデザイン的にスッキリと調和するとともに表面の研磨加工が容易であり、綺麗に仕上がる。さらに、Ｖ字状のＶ溝の中に斜めに入る鋸目が陰影ある奥行感を出し、立体的に見える。
【００１４】
そして、経時に乾燥が進み、内部応力により木材は樹芯を囲むように収縮して仮に亀裂や割れが入ることがあっても、木材の側面に設けられたＹ字背割りは、木材の長手方向に沿って設けられた１本または複数本の木口端から見てＶ字状のＶ溝の交差する二辺のうちの少なくとも一辺の略延長線上にスリットが設けられているので、亀裂や割れは木材の樹芯から前記スリットに繋がるように形成され、Ｙ字背割部分に亀裂や割れが入るのが抑制され、木材の外部から隠れて見え難い。そのため、例えばパーゴラ、東屋、柵、案内板、橋、遊具等に使用する木材を戸外において使用するのに、風雨、雪による腐食を防止するために、木材に塗料を塗装している場合には、乾燥によりＶ溝が拡大して開かれ、Ｖ溝の内部が露見するのが、防止されるとともに、特許文献１に記載の如き従来の背割りでは、スリット状の細い鋸目だけなので、なかなか背割りの内部を塗装することは難しく、乾燥によってこの背割りが開いて来た場合、塗装されていない部分が露出されて来るため、見栄えが悪くなる。しかし、Ｖ溝を設けた場合、塗料はＶ溝の交差する二辺のうちの少なくとも一辺の略延長線上に設けられたスリット内に入り込んで行くので、従来の背割りとは異なり、乾燥により背割りが開いて来た場合でも、塗装もれが目立つことなく、見栄えが良い。しかも、特許文献１に記載されたスリット状の「背割り」が施された木製角材とは異なり、木材の側面に設けられたＶ溝には、新たな亀裂が入ることにより開かれた際、Ｖ溝の内部が露見しないので、木材の内部に直接雨水が侵入するのが阻止される。さらに、木材の腐食を速めること、また、木材の変形や捻れが生ずるのが防止され、木材は強度が低下するのが防止される。
【００１５】
さらに、前述のように、木材の側面に、長手方向に沿って設けられた１本または複数本のＶ字状のＶ溝の交差する二辺のうちの少なくとも一辺の略延長線上にスリットが設けられているので、工場において防腐性または防蟻性を有する薬液が、Ｖ溝、およびこのＶ溝の交差する二辺のうちの少なくとも一辺の略延長線上に設けられたスリットを通じて木材の表面だけではなく、木材の内部に深く浸透するため、薬液の効能が充分に発揮され、木材の高耐久性が向上される。
【００１６】
さらにまた、前述のように、木材の側面には、長手方向に沿って１本または複数本が設けられた木口端から見てＶ字状のＶ溝は、デザイン的にシンプルに体裁が整えられ、このＶ溝の交差する二辺のうちの少なくとも一辺の略延長線上に木材の内部に設けられたスリットは外部からは見えずに隠されているので、デザイン的にスッキリとして簡素化される。
さらに、Ｖ字状のＶ溝の中に斜めに入る鋸目が陰影ある奥行感を出し、立体的に見える。
【００１７】
また、本発明の請求項２に記載の発明によれば、請求項１において、前記Ｙ字背割の前記スリットが、木材の部材径の１／８〜１／４の深さにより形成されているので、木材、例えば屋外で公園、庭園、道路、遊歩道、河川敷、森林等で使用するパーゴラ、東屋、柵、案内板、橋、遊具等に使用する木材に、建設後において、Ｖ溝はデザイン的にスッキリと調和するとともに表面の研磨加工が容易であり、綺麗に仕上がる。しかも、乾燥により応力が加わっても、木材の側面に、長手方向に沿って設けられた１本または複数本の木口端から見てＶ字状のＶ溝の交差する二辺のうちの少なくとも一辺の略延長線上には木材の内部にスリットが設けられたＹ字背割が施されているため、経時に乾燥が進み、内部応力がかかっても、該Ｙ字背割部分に亀裂や割れが入るのがスリットにより抑制される。そして、経時に乾燥が進み、内部応力により木材は樹芯を囲むように収縮して仮に亀裂や割れが入ることがあっても、木材の側面に設けられたＹ字背割りは、長手方向に沿って設けられた１本または複数本の木口端から見てＶ字状のＶ溝の交差する二辺のうちの少なくとも一辺の略延長線上にスリットが設けられているので、亀裂や割れは木材の樹芯から前記スリットに繋がるように形成され、木材の表面には達せずに、亀裂がＶ溝に入りＶ溝が開かれ、Ｖ溝の内部が露見されるという不体裁が防止されるとともに、木材の表面に入るのが防止される。しかも、木材の変形が防止されるという、優れた背割れ防止機能が発揮される。また、前記スリットは、木材の部材径の１／８〜１／４の深さにより形成されているので、木材の側面に長手方向に沿って１本または複数本が設けられた木口端から見てＶ字状の前記Ｖ溝と、前記Ｖ溝の交差する二辺のうちの少なくとも一辺の略延長線上に設けられたスリットと、により構成されるＹ字背割が施こされても、木材は引っ張り、圧縮、捻れ等の木材の強度が損なわれることはない。
【００１８】
また、本発明の請求項３によれば、請求項１または２において、前記木材が、縦木として木口端から見て平面正方形、平面多角形、または平面円形の柱に構成され、かつ、前記柱には前記Ｙ字背割が前後または左右に線対称もしくは点対称に合計１〜４本設けられるか、あるいは、前後および左右に線対称もしくは点対称に合計１〜４本が設けられているので、縦木として木口端から見て平面正方形、平面多角形、または平面円形の柱として構成される木材に、前記Ｙ字背割が前後または左右に線対称もしくは点対称に合計１〜４本が設けられるか、あるいは前記Ｙ字背割が前後および左右に線対称もしくは点対称に合計１〜４本が設けられたことにより、Ｙ字背割のＶ字状のＶ溝はデザイン的にスッキリと調和するとともに表面の研磨加工が容易であり、綺麗に仕上がる。さらに、Ｖ字状のＶ溝の中に斜めに入る鋸目が陰影ある奥行感を出し、立体的に見える。そして、木材が乾燥された時に経時に乾燥が進み、内部応力により木材は樹芯を囲むように収縮して仮に亀裂や割れが入ることがあっても、木材の側面に設けられたＹ字背割りは、長手方向に沿って設けられた１本または複数本の木口端から見てＶ字状のＶ溝の交差する二辺のうちの少なくとも一辺の略延長線上にスリットが設けられているので、亀裂や割れは木材の樹芯から前記スリットに繋がるように形成され、木材の表面に亀裂や割れが入るのが抑制される。しかも、亀裂や割れは、木材に対してスリットに均等に分散されて入るため、木材の高均等化がはかれ、木材の表面には達しない。そして、亀裂がＶ溝に入り、Ｖ溝が開かれるのが防止され、Ｖ溝の内部が露見されるという不体裁が防止されるとともに、木材の表面に入るのが防止される。しかも、木材の変形が防止されるという、優れた背割れ防止機能が発揮される。また、木口端から見て平面正方形、平面多角形、または平面円形の柱には、前記Ｙ字背割が前後または左右に点対称または線対称に合計１〜４本設けられるか、あるいはＹ字背割が前後および左右に点対称または線対称に合計１〜４本設けられているので、柱を立てる場合に、Ｙ字背割の設置個所に合わせて柱の向きを選定する必要はなくなる。
【００１９】
また、本発明の請求項４に記載の発明によれば、請求項１〜３の何れか１項において、前記木材が、木口端から見て側面正方形、側面多角形、または側面円形の横木に構成され、かつ、前記横木には前記Ｙ字背割が天面部を除いて前後の側面および下面との合計３本設けられるとともに、前後の側面に設けられる前記スリットは上向きに設けられているので、横木として木口端から見て側面正方形、側面多角形、または側面円形に構成される木材は、雨や雪が降った場合に天面部が水に濡れても、前後の側面に設けられる前記スリットは上向きに設けられているため、Ｖ溝からスリットを通じて木材の内部には、雨水が侵入しない。そして、木材が乾燥された時に生ずる内部応力により該Ｙ字背割部分に亀裂や割れが入るのが抑制される。そして、Ｙ字背割のＶ字状のＶ溝はデザイン的にスッキリと調和するとともに表面の研磨加工が容易であり、綺麗に仕上がる。さらに、Ｖ字状のＶ溝の中に斜めに入る鋸目が陰影ある奥行感を出し、立体的に見える。また、経時に乾燥が進み、内部応力により木材は樹芯を囲むように収縮して仮に亀裂や割れが入ることがあっても、木材の側面に設けられたＹ字背割りは、長手方向に沿って設けられた１本または複数本の木口端から見てＶ字状のＶ溝の交差する二辺のうちの少なくとも一辺の略延長線上にスリットが設けられているので、亀裂や割れは木材の樹芯から前記スリットに繋がるように、均等に分散されて入るため、木材の高均等化がはかれ、木材の表面には達しない。そして、亀裂がＶ溝に入り、Ｖ溝が開かれ、Ｖ溝の内部が露見されるという不体裁は防止されるとともに、木材の表面に入るのが防止される。しかも、木材の変形が防止されるという、優れた背割れ防止機能が発揮される。
【００２０】
また、本発明の請求項５に記載の発明によれば、請求項１〜４の何れか１項において、前記木材には、前記Ｖ溝および前記スリットを介して防腐性または防蟻性を有する薬液が含浸されているので、工場において防腐性または防蟻性を有する薬液が、Ｖ溝、およびこのＶ溝の交差する二辺のうちの少なくとも一辺の略延長線上に設けられたスリットを通じて木材の表面だけではなく、木材の内部に浸透され、薬液の防腐性または防蟻性の効能を発揮して木材の高耐久性が向上される。
【００２１】
また、本発明の請求項６に記載の発明によれば、木材の側面に、その長手方向に沿って板面に直交する垂直線に対して幅方向へ所望の傾斜角度に傾けた鋸歯により木材の部材径の１／８〜１／４の深さのスリットを形成する工程と、前記スリットに交差するように、前記垂直線に対して前記傾斜角度とは反対側に所望の傾斜角度傾けた鋸歯にて切断してＶ溝を形成するとともに、前記スリットと前記Ｖ溝とよりなるＹ字背割を形成する工程と、を順次有するので、得られたＹ字背割付き木材は、例えば屋外で公園、庭園、道路、遊歩道、河川敷、森林等でパーゴラ、東屋、柵、案内板、橋、遊具等に使用する場合に、木材に、建設後において、Ｙ字背割のＶ字状のＶ溝はデザイン的にスッキリと調和するとともに表面の研磨加工が容易であり、綺麗に仕上がる。さらに、Ｖ字状のＶ溝の中に斜めに入る鋸目が陰影ある奥行感を出し、立体的に見える。
【００２２】
そして、経時に乾燥が進み、内部応力により木材は樹芯を囲むように収縮して仮に亀裂や割れが入ることがあっても、木材の側面に設けられたＹ字背割りは、長手方向に沿って設けられた１本または複数本の木口端から見てＶ字状のＶ溝の交差する二辺のうちの少なくとも一辺の略延長線上にスリットが設けられているので、亀裂や割れは木材の樹芯から前記スリットに繋がるように形成され、亀裂や割れが木材の表面に入るのが抑制され、外部から隠れて見え難い。そのため、例えばパーゴラ、東屋、柵、案内板、橋、遊具等に使用する木材を戸外において使用するのに、風雨、雪、埃の侵入による腐食を防止するために、木材に塗料を塗装している場合には、乾燥によりＶ溝が拡大して開かれ、Ｖ溝の内部が露見されるのが、防止されるとともに、特許文献１に記載の如き従来の背割りでは、スリット状の細い鋸目だけなので、なかなか背割りの内部を塗装することは難しく、乾燥によってこの背割りが開いて来た場合、塗装されていない部分が露出されて来るため、見栄えが悪くなる。しかし、Ｖ溝を設けた場合、塗料はＶ溝の交差する二辺のうちの少なくとも一辺の略延長線上に設けられたスリット内に入り込んで行くので、従来の背割りとは異なり、乾燥により背割りが開いて来た場合でも、塗装もれが目立つことなく、見栄えが良い。しかも、特許文献１に記載されたスリット状の「背割り」が施された木製角材とは異なり、木材の側面に設けられたＶ溝には、新たな亀裂が入ることにより開かれた際、Ｖ溝の内部が露見しないので、木材の内部に直接雨水が侵入するのが阻止される。さらに、木材の腐食を速めること、また、木材の変形や捻れが生ずるのが防止され、木材は強度が低下するのが防止される。
【００２３】
さらに、前述のように、木材の側面に、長手方向に沿って設けられた１本または複数本のＶ字状のＶ溝の交差する二辺のうちの少なくとも一辺の略延長線上にスリットが設けられているので、工場において防腐性または防蟻性を有する薬液が、Ｖ溝、およびこのＶ溝の交差する二辺のうちの少なくとも一辺の略延長線上に設けられたスリットを通じて木材の表面だけではなく、木材の内部に浸透するため、防腐性または防蟻性を有する薬液の効能が発揮され、木材の高耐久性が向上される。
【００２４】
さらにまた、前述のように、木材の側面には、長手方向に沿って１本または複数本が設けられた木口端から見てＶ字状のＶ溝は、デザイン的にシンプルに体裁が整えられ、このＶ溝の交差する二辺のうちの少なくとも一辺の略延長線上に木材の内部に設けられたスリットは外部からは見えずに隠されているので、デザイン的にスッキリとして簡素化される。さらに、Ｖ字状のＶ溝の中に斜めに入る鋸目が陰影ある奥行感を出し、立体的に見える。
【図面の簡単な説明】
【００２５】
【図１】図１は本発明のＹ字背割付き木材の実施形態１を示し、平面正方形の木材の平面図である。
【図２】図２は同じく正面図である。
【図３】図３は同じく木材の側面に形成されるＹ字背割を構成するスリットを形成している状態を示す平面図である。
【図４】図４は同じく木材の側面に形成されるＹ字背割のＶ溝を構成する状態を示す平面図である。
【図５】図５は同じく平面円形の木材を示す平面図である。
【図６】図６は同じく正面図である。
【図７】図７は本発明のＹ字背割付き木材の実施形態２を示し、平面正方形の木材の平面図である。
【図８】図８は変形例を示し、平面円形の木材を示す平面図である。
【発明を実施するための形態】
【００２６】
＜実施形態１＞
以下、図面に従って本発明を実施するための最良の形態につき、詳細に説明する。
【００２７】
本実施形態１は、木材１の側面に、長手方向Ｘに沿って１本または複数本が設けられた木口端から見てＶ字状のＶ溝２と、該Ｖ溝２の交差する二辺２ａ,２ａのうちの少なくとも一辺２ａの略延長線Ｐ上に設けられたスリット３と、により構成されるＹ字背割４が施こされている。前記木材１は、例えば屋外で公園、庭園、道路、遊歩道、河川敷、森林等において、パーゴラ、東屋、柵、案内板、橋、遊具等に使用される。また、木材１の材質は、例えば杉、檜、松、或いは外国産材のような未乾燥の針葉樹であっても良いし、樫、クヌギ、楓などの広葉樹であっても良く、制限されるものではない。
【００２８】
前記木材１が、図１、および図２に示すように縦木として木口端から見て平面正方形の柱５に構成され、該柱５には前記Ｙ字背割４が前後対称的におよび左右対称的に４本設けられる。なお、図示する本実施形態１では、柱５には、前後および左右の側面に、１本づつ、合計４本のＹ字背割４が設けられているが、これは代表的な例示であり、柱５の側面に設けられるＹ字背割４の設置個数、および設置場所は、図示するものに限られない。
【００２９】
そして、前記木材１が、前記Ｖ溝２および前記スリット３を介して薬液が含浸される。この際、木材１の側面に、長手方向Ｘに沿って設けられた４本の、木口端から見てＶ字状のＶ溝２の交差する二辺２ａ,２ａのうちの少なくとも一辺２ａの略延長線Ｐ上に設けられたスリット３を通じて工場において防腐性または防蟻性を有する薬液が、Ｖ溝２から、このＶ溝２の交差する二辺２ａ,２ａのうちの少なくとも一辺２ａの略延長線Ｐ上に設けられたスリット３を通じて木材１の表面だけではなく、木材１の内部に深く浸透することにより、防腐性または防蟻性を有する薬液の効能が発揮され、木材１の高耐久性が向上される。
【００３０】
前記Ｙ字背割４が、図１乃至図４に示す実施形態１では、前記Ｖ溝２は、木材１の部材径Ｌの１５％〜１６％の長さｌをその一辺２ａとして形成されているとともに、前記スリット３は、木材１の部材径Ｌの１／８〜１／４の深さｆにより形成されている。このように、スリット３が、木材１の部材径Ｌの１／８〜１／４の深さｆに形成されるのは、スリット３の深さｆを、木材１の部材径Ｌの１／４より大きくすると、スリット３が深くなり、乾燥に伴う応力により生ずる木材１の樹芯Ｏから発生される亀裂Ｋや割れをスリット３にて抑制する効能が充分になるが、反面、Ｙ字背割４はスリット３の設置部分において木材１から分割され、Ｙ字背割４部分が木材１から分割されて欠落し易くなり、木材１の強度が損なわれるからである。反対に、スリット３の深さｆを、木材１の部材径Ｌの１／８より小さく形成すると、スリット３の深さｆが浅く、Ｙ字背割４部分が小さくなるので、木材１の強度が充分になるが、反面、木材１が乾燥し、内部応力がかかると、木材１の樹芯Ｏからの亀裂や割れがスリット３に繋がるというＹ字背割４における亀裂や割れに対する抑制機能が不十分になるからである。
【００３１】
前記木材１の部材径Ｌは、例えば９０ｍｍ、１００ｍｍ、１２０ｍｍ、１５０ｍｍ、１８０ｍｍ、２００ｍｍの数種類がある。
【００３２】
Ｋは経時に木材１の乾燥が進み、応力により木材１が樹芯Ｏを囲むように収縮する場合に入る亀裂であり、この亀裂Ｋは木材１の樹芯Ｏから木材１の側面に、長手方向Ｘに沿って設けられた木口端から見て４本の、Ｖ字状のＶ溝２の交差する二辺２ａ,２ａのうちの少なくとも一辺２ａの略延長線Ｐ上に設けられたスリット３に繋がるように設けられ、外部からは隠れて直接には見え難い。なお、図示においては、説明の便宜のため、木目は実際の木材１よりも簡素化されて描かれ、しかも木口の略中心部に樹芯Ｏが表示されているが、これは代表的例示であり、木材１は必ずしも木口の略中心部に樹芯Ｏが表示されるものに限られない。
【００３３】
本発明のＹ字背割付き木材の実施形態１は以上の構成からなり、その作用を本実施形態１を実施する場合のＹ字背割付き木材の製造方法とともに以下工程順に説明する。
【００３４】
本製造方法は、先ず、第１の工程として、図３に示すように、木材１には、その側面に長手方向Ｘに沿って板面に直交する垂直線Ｈに対して幅方向Ｗ,Ｗ′へ所望の傾斜角度θ１に傾けた鋸歯２０により木材１の部材径Ｌの１／８〜１／４の深さｆのスリット３を形成する。
【００３５】
次いで、第２工程として、図４に示すように、前記スリット３に交差するように、前記垂直線Ｈに対して前記傾斜角度θ１とは反対側に所望の傾斜角度θ２傾けた鋸歯２０にて切断してＶ溝２を形成するとともに、前記スリット３と前記Ｖ溝２とよりなるＹ字背割４を形成する工程と、を順次有する。
【００３６】
上記第１工程および第２工程を有する製造方法により得られた木材１、例えば屋外で公園、庭園、道路、遊歩道、河川敷、森林等において、パーゴラ、東屋、柵、案内板、橋、遊具等を建設するのに使用される木材１は、建設後において、Ｙ字背割４のＶ字状のＶ溝２は、デザイン的にスッキリと木材１に調和する。さらに、断面Ｖ字状のＶ溝２の中に斜めに入る鋸目が陰影ある奥行感を出し、立体的に見える。
【００３７】
そして、経時の乾燥により応力が加わっても、木材１の側面に、長手方向Ｘに沿って複数本、図示する本実施形態１では、図１に示すように、木口端から見てＶ字状の４本のＶ溝２が設けられ、該Ｖ溝２の交差する二辺２ａ,２ａのうちの少なくとも一辺２ａの略延長線Ｐ上には木材１の内部にスリット３が設けられたＹ字背割４が施されているため、経時に乾燥が進み、内部応力がかかっても、Ｙ字背割４部分に亀裂Ｋや割れが入るのが抑制される。
【００３８】
そして、図３，および図４に示すように、鋸歯２０を木材１の幅方向Ｗ,Ｗ′に前記垂直線Ｈに対して所望の傾斜角度θ１に傾けることにより、鋸歯２０により木材１の部材径Ｌのおよそ１／８〜１／４の深さｆのスリット３を形成するのと、スリット３に交差するように、前記垂直線Ｈに対して前記傾斜角度θ１とは反対側に所望の傾斜角度θ２傾けて鋸歯２０にて切断することにより、Ｖ溝２を形成するのとから、木材１の側面に長手方向Ｘに沿って迅速かつ簡単にＹ字背割４を製作かつ加工することができる。また、Ｖ溝２は垂直線Ｈに対して傾斜角度θ1,θ2外側に開かれているので、Ｖ溝２の内面をグラインダーやサンド・ペーパーを用いて研磨加工するための広い空間を有し、作業がし易く、表面は綺麗に仕上がる。
【００３９】
そして、木材１の樹芯Ｏから木材１の側面に、長手方向Ｘに沿って設けられた４本の、木口端から見てＶ字状のＶ溝２の交差する二辺２ａ,２ａのうちの少なくとも一辺２ａの略延長線Ｐ上にスリット３が設けられているので、経時に木材１の乾燥が進み、応力により木材１は樹芯Ｏを囲むように収縮すると、木材１の樹芯Ｏから生ずる亀裂Ｋや割れはＶ溝２の交差する二辺２ａ,２ａのうちの少なくとも一辺２ａの略延長線Ｐ上に設けられたスリット３に繋がり、Ｖ溝２に亀裂Ｋや割れが入るのが防止されるとともに、Ｖ溝２が開かれ、内部が露見するのが防止され、不体はなくなる。従って、木材１の樹芯Ｏからスリット３へと繋がる亀裂Ｋや割れは、木材１の表面には達しないとともに、スリット３に繋がるように設けられた亀裂Ｋは外部から隠れて直接には見え難い。
【００４０】
この際、前記Ｙ字背割４が、図１乃至図４に示す実施形態１では、Ｙ字背割４の前記Ｖ溝２は、木材１の部材径Ｌの１５％〜１６％の長さｌをその一辺２ａとして形成されているとともに、前記スリット３は、木材１の部材径Ｌの１／８〜１／４の深さｆにより形成されているが、このように、スリット３が、木材１の部材径Ｌの１／８〜１／４の深さｆに形成されるのは、スリット３の深さｆを、木材１の部材径Ｌの１／４より大きくすると、スリット３が深くなり、乾燥に伴う応力により生ずる木材１の樹芯Ｏから発生される亀裂Ｋや割れを木材１の表面に到るのを阻止してスリット３にて抑制する効能が充分になるが、反面、Ｙ字背割４はスリット３の設置部分において木材１から分割され、欠落し易くなり、木材１の強度が損なわれるからである。反対に、スリット３の深さｆを、木材１の部材径Ｌの１／８より小さく形成すると、スリット３の深さｆが浅いため、Ｙ字背割４部分が小さくなり、木材１の強度が充分になるが、反面、木材１が乾燥し、内部応力がかかると、木材１の樹芯Ｏからの亀裂や割れがスリット３に繋がるというＹ字背割４における亀裂や割れに対する抑制機能が不十分になるからである。
【００４１】
そして、例えばパーゴラ、東屋、柵、案内板、橋、遊具等を戸外において建設するのに、木材１を使用するのに、風雨、雪による木材１の腐食を防止するために、木材１に塗料を塗装している場合には、前述のように、乾燥によりＶ溝２が拡大して開かれるのが、Ｖ溝２の交差する二辺２ａ,２ａのうちの少なくとも一辺２ａの略延長線Ｐ上に設けられたスリット３に、新たな亀裂Ｋは繋がるように形成されるとともに、特許文献１に記載の如き従来の背割りでは、スリット状の細い鋸目だけなので、なかなか背割りの内部を塗装することは難しく、乾燥によってこの背割りが開いて来た場合、塗装されていない部分が露出されて来るため、見栄えが悪くなる。しかし、本実施形態では、Ｖ溝２を設けた場合、塗料はＶ溝２の交差する二辺のうちの少なくとも一辺の略延長線上に設けられたスリット３内に入り込んで行くので、従来の背割りとは異なり、乾燥により背割りが開いて来た場合でも、塗装もれが目立つことなく、見栄えが良い。
【００４２】
さらに、前述のように、木材１の側面に、長手方向Ｘに沿って設けられた４本のＶ字状のＶ溝２の交差する二辺２ａ,２ａのうちの少なくとも一辺２ａの略延長線Ｐ上にスリット３が設けられているので、工場において防腐性または防蟻性を有する薬液が、Ｖ溝２、およびこのＶ溝２の交差する二辺２ａ,２ａのうちの少なくとも一辺２ａの略延長線Ｐ上に設けられたスリット３を通じて木材１の表面だけではなく、木材１の内部に浸透し、防腐性または防蟻性を有する薬液の効能が発揮され、木材１の高耐久性が向上される。
【００４３】
さらにまた、前述のように、木材１の側面には、長手方向Ｘに沿って４本設けられた木口端から見てＶ字状のＶ溝２は、デザイン的にシンプルに体裁が整えられ、このＶ溝２の交差する二辺２ａ,２ａのうちの少なくとも一辺２ａの略延長線Ｐ上に木材１の内部に設けられたスリット３は外部からは見えずに隠れるので、デザイン的にスッキリとして簡素化される。さらに、Ｖ字状のＶ溝の中に斜めに入る鋸目が陰影ある奥行感を出し、立体的に見える。
【００４４】
図５、および図６に示すものは、本発明のＹ字背割付き木材の変形例を示し、図１乃至図４に示すものは、柱５のような縦木としての木材１が、木口端から見て平面正方形のものについて説明したが、本例では木材１が木口端から見て平面円形の柱５として構成されている点が異なる構成であるほかは、図１乃至図４に示すものと、同様の構成、および作用を奏する。なお、本例で用いる柱５には、その部材径Ｌが１２０ｍｍ、１５０ｍｍ、１８０ｍｍ、２００ｍｍ、２４０ｍｍ、２５０ｍｍ、３００ｍｍ等の数種がある。
【００４５】
＜実施形態２＞
また、図７、および図８に示すものは、本発明のＹ字背割付き木材の実施形態２を示し、この実施形態２では、前記木材１が、木口端から見て側面正方形の横木３０に構成され、かつ、前記横木３０には前記Ｙ字背割４が天面部１ａを除いて前後の側面および下面とに合計３本設けられるとともに、前後の側面に設けられる前記スリット３,３は上向きに設けられている点が前記実施形態１とは異なる構成である。
【００４６】
そして、本実施形態２では、横木３０として図７に示すように木口端から見て側面正方形または図８に示すように側面円形に構成される木材１は、雨や雪が降った場合に天面部１ａが水に濡れても、木材１の内部には水が侵入しないとともに、前記Ｙ字背割４が天面部１ａを除いて前後の側面および下面との合計３本設けられ、前後の側面に設けられる前記スリット３,３は上向きに設けられているため、Ｖ溝２,２からスリット３,３を通じて木材１の内部には、雨水、雪、埃が侵入しない。そして、木材１が乾燥された時に生ずる内部応力により木材１の樹芯Ｏに向いて入る亀裂ＫはＹ字背割４のＶ溝２の交差する二辺２ａ,２ａのうちの少なくとも一辺２ａの略延長線Ｐ上に設けられたスリット３に繋がるように、均等に分散されて入るため、木材１の高均等化がはかれるという優れた作用、効果を奏する点が前記実施形態１とは異なる作用・効果であるほかは、前記実施形態１と同様の構成、作用・効果を奏する。
【００４７】
なお、図１乃至図６に示す前記実施形態１では、木材１の前後および左右の側面に、１本づつ、合計４本のＹ字背割４が設けられ、また、図７、図８に示す実施形態２では、木材１の前後および下面に３本のＹ字背割４が設けられているが、これは代表的な例示であり、木材１の側面に設けられるＹ字背割４は、図には示さないが、前後の側面に点対称または線対称にまたは左右の側面に点対称または線対称に設けられる等、Ｙ字背割４の設置個数、および設置場所は、図示するものに限られず、自由に設定される。
【００４８】
また、図１乃至図６に示す上記実施形態１、および図７、図８に示す上記実施形態２では、木材１の前後および左右の側面に、１本づつ、合計４本設けられたＹ字背割４には、木口端から見て平面または側面Ｖ字状に形成されるＶ溝２、乃至は該Ｖ溝２の交差する二辺２ａ,２ａのうちの一辺２ａの略延長線Ｐ上にスリット３が設けられたものが図示されているが、これには代表的な例示であり、これに限ることなく、Ｖ溝２の交差する二辺２ａ,２ａの双方の略延長線Ｐ,Ｐ上にスリット３,３が設けられている場合も本発明の適用範囲を逸脱するものではない。
【００４９】
また、図１乃至図６に示す上記実施形態１において、図１乃至図４に示すものは平面正方形の木材１が使用されるとともに、図５および図６に示すものは平面円形の木材１が使用され、また、図７および図８に示す実施形態２において、図７に示すものは側面正方形の木材１が使用されるとともに、図８に示すものは側面円形の木材１が使用されている場合を代表的に説明しているが、これら使用される木材１は上記説明に限ることなく、図には示さないが、例えば平面乃至は側面が四角形、五角形、六角形、八角形等の多角形に形成される場合も前記平面正方形もしくは前記平面円形の木材、或いは側面正方形もしくは側面円形の木材と同様に説明でき、本発明の適用範囲である。
【産業上の利用可能性】
【００５０】
本発明は、「背割り」を施した木製角材の背割り部分に亀裂の割れが発生するのを抑制すると共に、該背割り部分に亀裂や割れが発生した場合には、前記亀裂や割れの内部が露見することを防止して見映えを良好になすという用途、機能に適する。
【符号の説明】
【００５１】
１    木材
１ａ  天面部
２    Ｖ溝
２ａ  一辺
３    スリット
４    Ｙ字背割
５    柱
２０  鋸歯
Ｈ    垂直線
Ｋ    亀裂
Ｌ    部材径
Ｐ    延長線
Ｘ    長手方向
Ｗ    幅方向
Ｗ′  幅方向
ｆ    深さ
θ１  傾斜角度
θ２  傾斜角度
【図１】
2011116046.tif 000003
【図２】
2011116046.tif 000004
【図３】
2011116046.tif 000005
【図４】
2011116046.tif 000006
【図５】
2011116046.tif 000007
【図６】
2011116046.tif 000008
【図７】
2011116046.tif 000009
【図８】
2011116046.tif 000010